(57)【要約】【課題】保管箱を搬送・移送・持ち運んで物品を収納する保管管理形態に好適な保管管理システムを提供する。【解決手段】物品データ入力装置１００は、携帯型に構成して保管箱に装着され、物品Ａに付されたＩＣタグＡ１を読み取るＩＣタグリーダ１１と、このＩＣタグリーダで読み取ったタグデータを一時的に保存するためのデータ保存処理手段１２〜１７とで構成する。管理用コンピュータ２００は、データ保存手段から転送されるタグデータによって物品の保管管理をする。  マンマシンインターフェース（操作部１３、管理情報表示部１４、音声・警報部１５）を保管管理者が携帯できる携帯端末に構成したこと、タグリーダのみを保管箱に装着し、データ管理部１２とマンマシンインターフェースは保管管理者が携帯できる携帯端末に構成したことを含む。【選択図】  図１
2005170616.tif 000002
【特許請求の範囲】
【請求項１】
搬送・移送・持ち運び可能な保管箱に物品を収納し、この保管箱に物品を保管または他の保管倉庫に物品を移し替えて保管する物品の保管管理システムであって、
物品データ入力装置と管理用コンピュータとを備え、
前記物品データ入力装置は、携帯型に構成してその一部または全部が保管箱に装着され、物品に付されたＩＣタグを読み取るＩＣタグリーダと、このＩＣタグリーダで読み取ったタグデータを一時的に保存するためのデータ保存処理手段とを備え、
前記管理用コンピュータは、前記データ保存手段から転送されるタグデータによって物品の保管管理をする手段を備えたことを特徴とする物品の保管管理システム。
【請求項２】
前記データ保存処理手段は、前記ＩＣタグリーダで読み取ったタグデータを一時的に保存するマイクロコンピュータチップ構成のデータ管理部と、このデータ管理部に対する入出力機能をもつマンマシンインターフェースとによって構成し、
前記タグリーダと前記データ管理部は保管箱に装着し、前記マンマシンインターフェースは保管管理者が携帯できる携帯端末に構成したことを特徴とする請求項１に記載の物品の保管管理システム。
【請求項３】
前記データ保存処理手段は、前記ＩＣタグリーダで読み取ったタグデータを一時的に保存するマイクロコンピュータチップ構成のデータ管理部と、このデータ管理部に対する入出力機能をもつマンマシンインターフェースとによって構成し、
前記タグリーダは保管箱に装着し、前記データ管理部と前記マンマシンインターフェースは保管管理者が携帯できる携帯端末に構成したことを特徴とする請求項１に記載の物品の保管管理システム。
【発明の詳細な説明】
【技術分野】
【０００１】
本発明は、保管箱を使用した物品の保管管理システムに係り、特に保管箱を搬送・移送・持ち運んで物品を保管管理するシステムに関する。
【背景技術】
【０００２】
一般家庭における物品の保管方式は、工具箱、薬箱、床下収納庫のように、単に物品を保管するだけの箱として使用している。
【０００３】
しかし、一般物品の保管管理には、名称や購入年月日、校正年月日、校正間隔、使用期限等に関するデータを管理し、保管物品の持ち出し状況や未校正物品、使用期限切れ物品期限等を管理することが要望される。
【０００４】
例えば、部品倉庫における物品の保管方式は、物品の持ち出し・返却等の保管状況の管理は、管理情報をノート等の紙で管理するか、パソコン等の情報機器で管理している。
【０００５】
また、食品の保管には、インテリジェントな保管方式として、食品の自動冷蔵システムと冷蔵庫が提案されている（例えば、特許文献１参照）。この保管方式は、非接触ＩＣタグにインプットされた食品の内容物、消費期限等の情報を、冷蔵庫に内蔵する非接触ＩＣタグリーダで読み取り、その情報を元に冷蔵庫に搭載するマイクロコンピュータによって食品の賞味期限などの各種情報を管理できるようにしている。
【特許文献１】特開２００１−３１７８６２
【発明の開示】
【発明が解決しようとする課題】
【０００６】
一般家庭や部品倉庫における従来の物品の保管管理方式は、以下の問題があった。
【０００７】
（１）図４に示すように、保管箱（または保管装置）Ａに保管する物品の管理に、データ管理ツールＢにノート・パソコンを使用して管理情報を入力できるが、入力に人が介在（手書き、手入力等）するため、入力ミス、入力漏れの可能性があり、データが不十分となる恐れがある。
【０００８】
（２）保管箱Ａ自体がデータ入力・管理・表示手段を搭載していないため、保管に必要な情報をタイムリーに入力することができないし、その後に保管状況を確認することができない。
【０００９】
この点、特許文献１による非接触ＩＣタグとタグリーダによる冷蔵物品の保管管理方式では、上記の（１）、（２）の問題は解消されるが、以下の問題があった。
【００１０】
（３）非接触ＩＣタグの読取り手段とデータ管理用コンピュータを一体にした大掛かりな装置を設備できる冷蔵庫や物品倉庫などにしか適用できない。
【００１１】
（４）固定設置方式の保管箱になるため、保管箱を任意の場所に搬送・移送・持ち運ぶような保管管理形態に適用できない。
【００１２】
例えば、卸売市場などに小型の保管箱を持ち込み、仕入れ・購入した食品などを保管箱に収納し、これを持ち帰って冷蔵庫や冷蔵・冷凍倉庫などに収納する使用形態では、食品の仕入れ・購入段階での物品データの入力ができない。
【００１３】
また、工具箱を修理や保守点検場所に持ち込んで使用する場合の工具の収納忘れ防止などの管理に適用できない。
【００１４】
また、手術用具を載せたトレーを手術室に持ち運び、手術用具の使用と手術後の用具を全てトレーに回収するための管理に適用できない。
【００１５】
本発明の目的は、保管箱を搬送・移送・持ち運んで物品を収納する保管管理形態に好適となる物品の保管管理システムを提供することにある。
【課題を解決するための手段】
【００１６】
本発明は、前記の課題を解決するため、ＩＣタグが付された物品を保管管理対象とし、携帯型の物品データ入力装置と管理用コンピュータとからなるシステム構成とし、物品データ入力装置はＩＣタグを読み取るＩＣタグリーダと、このタグデータを一時的に保存するためのデータ保存処理手段で構成し、管理用コンピュータはデータ保存処理手段から転送されるタグデータによって物品の保管管理をするようにしたもので、以下のシステムを特徴とする。
【００１７】
（１）搬送・移送・持ち運び可能な保管箱に物品を収納し、この保管箱に物品を保管または他の保管倉庫に物品を移し替えて保管する物品の保管管理システムであって、
物品データ入力装置と管理用コンピュータとを備え、
前記物品データ入力装置は、携帯型に構成してその一部または全部が保管箱に装着され、物品に付されたＩＣタグを読み取るＩＣタグリーダと、このＩＣタグリーダで読み取ったタグデータを一時的に保存するためのデータ保存処理手段とを備え、
前記管理用コンピュータは、前記データ保存手段から転送されるタグデータによって物品の保管管理をする手段を備えたことを特徴とする。
【００１８】
（２）前記データ保存処理手段は、前記ＩＣタグリーダで読み取ったタグデータを一時的に保存するマイクロコンピュータチップ構成のデータ管理部と、このデータ管理部に対する入出力機能をもつマンマシンインターフェースとによって構成し、
前記タグリーダと前記データ管理部は保管箱に装着し、前記マンマシンインターフェースは保管管理者が携帯できる携帯端末に構成したことを特徴とする。
【００１９】
（３）前記データ保存処理手段は、前記ＩＣタグリーダで読み取ったタグデータを一時的に保存するマイクロコンピュータチップ構成のデータ管理部と、このデータ管理部に対する入出力機能をもつマンマシンインターフェースとによって構成し、
前記タグリーダは保管箱に装着し、前記データ管理部と前記マンマシンインターフェースは保管管理者が携帯できる携帯端末に構成したことを特徴とする。
【発明の効果】
【００２０】
以上のとおり、本発明によれば、物品データ入力装置は物品に付されたＩＣタグを読み取るＩＣタグリーダと、このタグデータを一時的に保存するためのデータ保存処理手段で構成し、管理用コンピュータはデータ保存処理手段から転送されるタグデータによって物品の保管管理をするようにしたため、以下の効果がある。
【００２１】
（１）保管箱には小型の物品データ入力装置の一部または全部を装着することで済み、保管箱を搬送・移送・持ち運んで物品を収納する保管管理形態に好適となる。
【００２２】
（２）保管箱に物品を入れたり出したりするだけで、物品の情報はＩＣタグリーダが読み取り、素早く正確にデータ管理部に蓄積されるため、物品の管理情報入力手段として有効となる。
【００２３】
（３）データ管理部に蓄積された管理情報は、事務所等に置かれるデータ管理用パソコンだけでなく、保管箱本体や携帯端末でも管理され、必要な時に必要な場所から情報を取り出すことができる。
【発明を実施するための最良の形態】
【００２４】
（実施形態１）
図１は、本発明の実施形態を示す物品の保管管理システムの構成図である。このシステムは、携帯型の物品データ入力装置１００と管理用コンピュータ２００とによって構成する。
【００２５】
物品データ入力装置１００は、物品Ａに付されたＩＣタグＡ１のタグデータを読み取るＩＣタグリーダ１１と、このタグデータを一時的に保存するためのデータ保存処理手段で構成する。データ保存処理手段は、マイクロコンピュータチップで構成するデータ管理部１２と、このデータ管理部１２に対する入出力機能をもつマンマシンインターフェースとしての操作部１３、管理情報表示部１４および音声・警報部１５で構成する。
【００２６】
データ管理部１２は、タグデータを格納するための不揮発性メモリ構成のデータベース１６と、このデータベース１６が格納するタグデータをチェックし、管理用コンピュータ２００に有線または無線通信で転送するためのチェック部１７で構成する。
【００２７】
物品データ入力装置１００は、携帯電話と同様に携帯型にして機能構成し、データ管理部１２が携帯電話に内蔵するマイクロコンピュータチップ、操作部１３が外部操作できるボタンスイッチ、管理情報表示部１４が画像表示できる液晶画面、音声・警報部１５が内蔵スピーカに対応する。
【００２８】
また、物品データ入力装置１００は、物品を収納さらには保管しようとする保管箱に簡単に着脱できる着脱手段、例えば、保管箱の内側または外側に設けた収納ケースに装填、マジックテープや手動式のロック錠を有して保管箱に装着する構成とする。
【００２９】
このような構成により、物品データ入力装置１００は保管箱に装着しておき、保管箱を物品を収納する場所に搬送・移送・持ち運び、物品を収納するときにタグリーダ１１により物品のＩＣタグデータを読み取り、このデータをデータ管理部１２のデータベース１６に保存することができる。
【００３０】
物品データ入力装置１００に保存したデータは、保管箱を持ち帰ったときに、事務所や一般家庭に置かれるデータ管理パソコン２００に転送し、パソコン２００側で管理することができる。データ管理パソコン２００による管理は、物品の名称や購入年月日、校正年月日、校正間隔、使用期限等に関するデータ管理、保管物品の持ち出し状況や未校正物品、使用期限切れ物品期限等のデータ管理をする。さらに、保管箱に収納した物品をそのまま保管箱に保管しておく保管方式、または保管箱から保管冷蔵庫や保管倉庫に物品を移し替える保管方式の違いに応じて、保管箱に設定される保管番号、冷蔵庫などに設定される保管棚番号を基にして、各物品の保管場所、位置を特定する。
【００３１】
したがって、本実施形態によれば、物品収納に使用する任意の保管箱に物品データ入力装置１００を装着し、この保管箱に物品を入れたり出したりするだけで、物品の情報はＩＣタグリーダ１１が読み取り、素早く正確にデータ管理部１２に蓄積されるため、物品の管理情報入力手段として有効となる。
【００３２】
また、蓄積された管理情報は、事務所等に置かれるデータ管理用パソコンだけでなく、保管箱本体や携帯端末でも管理され、必要な時に必要な場所から情報を取り出すことができる。
【００３３】
本実施形態によるシステムの適用例としては、例えば、ライフライン関係施設での作業等では、重大な事故を引き起こす可能性がある工具や部品の置き忘れは絶対に防止しなければならない。しかし、現状では人によるチェックのため、置き忘れを完全に防止することは難しい。このような場合、本実施形態では、作業開始前と作業開始後の工具や部品の数量チェックが簡単・確実に実施でき、置き忘れを防止できる。
【００３４】
また、手術用具を体内に置き忘れる事例があるが、本実施形態では、手術前と手術後の用具にＩＣタグを付しておけば、そのチェックが簡単・確実に実施でき、手術用具の体内への置き忘れを防止できる。
【００３５】
また、物品の出し入れに関する情報を手入力しなくて済むため、入力ミスの防止と省力化ができる。
【００３６】
（実施形態２）
本実施形態は、図１における物品データ入力装置１００のマンマシンインターフェースを携帯端末で実現し、保管箱の設定や情報取り出しは携帯端末を利用するシステム構成とする。
【００３７】
このシステム構成は図２に示すように、物品データ入力装置をデータ入力部１００Ａと携帯端末１００Ｂで構成する。データ入力部１００Ａは、タグリーダ１１とデータ管理部１２で構成して保管箱に装着可能にする。携帯端末１００Ｂは操作部１３、管理情報表示部１４および音声・警報部１５で構成して保管管理者が携帯可能にする。データ入力部１００Ａと携帯端末１００Ｂとの間のデータ転送は無線通信方式とする。
【００３８】
本実施形態によれば、実施形態１による作用効果に加えて、保管管理者は保管箱や物品データ入力装置の位置に制約されることなく、物品の収納、保管の操作や保管情報の管理ができる。
【００３９】
（実施形態３）
本実施形態は、図１における物品データ入力装置１００のデータ管理部１２およびマンマシンインターフェースを携帯端末で実現し、保管箱には物品ＡについているタグＡ１の情報を読み取るためのタグリーダ１１のみを実装するシステム構成とする。
【００４０】
このシステム構成は図３に示すように、物品データ入力装置をデータ入力部１００Ｃと携帯端末１００Ｄで構成する。データ入力部１００Ｃは、タグリーダ１１のみで構成して保管箱に装着可能にする。携帯端末１００Ｄはデータ管理部１２、操作部１３、管理情報表示部１４および音声・警報部１５で構成して保管管理者が携帯可能にする。携帯端末１００Ｂは、データ入力部１００Ｃとの間の無線通信方式によるデータ転送、およびデータ管理用パソコン２００との間の有線または無線通信方式によるデータ転送を可能とする。
【００４１】
本実施形態によれば、実施形態１および２による作用効果に加えて、保管箱にはタグリーダ１１のみを装着すればよく、多数の保管箱によって多量の物品を保管管理する場合に、各保管箱にタグリーダ１１をそれぞれ装着しておき、各保管箱単位の物品の保管管理を１台の携帯端末１００Ｄでできる。
【図面の簡単な説明】
【００４２】
【図１】本発明の実施形態１を示す物品の保管管理システムの構成図。
【図２】本発明の実施形態２を示す物品の保管管理システムの構成図。
【図３】本発明の実施形態３を示す物品の保管管理システムの構成図。
【図４】従来の物品の保管管理方式の説明図。
【符号の説明】
【００４３】
１００  物品データ入力装置
２００  データ管理用パソコン
１１  タグリーダ
１２  データ管理部
１３  操作部
１４  管理情報表示部
１５  音声・警報部
１６  データベース
１７  チェック部
１００Ａ  データ入力部
１００Ｂ  携帯端末
１００Ｃ  データ入力部
１００Ｄ  携帯端末
【図１】
2005170616.tif 000003
【図２】
2005170616.tif 000004
【図３】
2005170616.tif 000005
【図４】
2005170616.tif 000006